(57)【要約】      （修正有）【課題】便器洗浄水を効率よく汚物に作用し、水はねを防止する水洗大便器を提供する。【解決手段】汚物受け面を備えたボウル部の下方にその入口が接続され汚物を排出する排水路と、排水路の入口に向かって吐水するように設けられた洗浄水供給口と、洗浄水タンクの排出口から洗浄水供給口に洗浄水を供給する洗浄水供給路と、洗浄水タンクの排出口を開閉する排水弁と、洗浄開始信号に基づいて排水口から洗浄水供給路へ洗浄水を供給するように排水弁の作動を制御する制御手段とを有し、制御手段は、洗浄開始信号の受信後、排水弁を、第一の開度Ｓ１で開弁することで洗浄水供給路を満水にし、その後、第一の開度Ｓ１より大きい第二の開度Ｓ２で開弁することでボウル部の汚物を排出する。【選択図】図４
2011214277.tif 000002
【特許請求の範囲】
【請求項１】
ボウル部形状の汚物受け面を備えたボウル部と、
上記ボウル部の下方にその入口が接続され汚物を排出する排水路と、
上記排水路の入口に向かって吐水するように設けられた洗浄水供給口と、
洗浄水タンクの排出口から上記洗浄水供給口に洗浄水を供給する洗浄水供給路と、
上記洗浄水タンクの排出口を開閉する排水弁と、
洗浄開始信号に基づいて上記排水口から上記洗浄水供給路へ洗浄水を供給するように上記排水弁の作動を制御する制御手段と、を有し、
上記制御手段は、上記洗浄開始信号の受信後、上記排水弁を、第一の開度で開弁することで上記洗浄水供給路を満水にし、その後、前記第一の開度より大きい第二の開度で開弁することで前記ボウル部の汚物を排出するようにすることを特徴とする水洗大便器。
【請求項２】
前記第二の開度は、予め設定された前記排水弁が開く最大限の開度であることを特徴とする請求項１に記載の水洗大便器。
【請求項３】
前記洗浄水給水路の途中には、洗浄開始前において常に洗浄水が溜まっている凹部が形成されていることを特徴とする請求項１又は請求項２に記載の水洗大便器。
【発明の詳細な説明】
【技術分野】
【０００１】
本発明は、水洗大便器に関する。 
【背景技術】
【０００２】
従来から、ゼット噴出部を有する水洗大便器において、ゼット導水路内に滞留している空気を便器洗浄時に便器外に排出させるために、ゼット導水路を独立させてゼット用に流量制御手段を設け、便器洗浄開始後、まず少量の洗浄水をゼット導水路内に給水し、ゼット導水路内の空気を排出してからサイホンを発生させるのに必要な流量の洗浄水を供給しているものが知られている（例えば、特許文献１参照。）。
このような場合、ゼット導水路を独立させるために流量制御手段や弁を複数必要とし、部材が多くなる問題があった。
【０００３】
また、便器上面の洗浄水給水口からゼット導水路の下流に至る空間内に別部材で構成される給水配管を配設し、給水口からゼット口までの洗浄水の通水路空間を小さくすることで、ゼット口から吐出する水に空気が混入するのを減少させているものが知られている（例えば、特許文献２参照。）。
しかし、このような場合、洗浄水給水口からゼット導水路の上流に至る空間に給水配管を配設するために部品と配設の手間が必要という問題があった。
【先行技術文献】
【特許文献】
【０００４】
【特許文献１】特開平０２−０３５１３２号公報
【特許文献２】特開２００６−２４１７２８号公報
【発明の概要】
【発明が解決しようとする課題】
【０００５】
本発明は、上記問題を解決するためになされたもので、本発明の課題は、別部材等を設けることなく、大便器の洗浄に際し、洗浄開始前にゼット導水路を満水にしてから本洗浄を開始することにより、効率よく汚物に作用させること、また便器洗浄時の水はねを防止する水洗大便器を提供することである。
【課題を解決するための手段】
【０００６】
上記の目的を達成するために、本発明は、ボウル部形状の汚物受け面を備えたボウル部と、ボウル部の下方にその入口が接続され汚物を排出する排水路と、排水路の入口に向かって吐水するように設けられた洗浄水供給口と、洗浄水タンクの排出口から洗浄水供給口に洗浄水を供給する洗浄水供給路と、洗浄水タンクの排出口を開閉する排水弁と、洗浄開始信号に基づいて排水口から洗浄水供給路へ洗浄水を供給するように排水弁の作動を制御する制御手段と、を有し、制御手段は、洗浄開始信号の受信後、排水弁を、第一の開度で開弁することで洗浄水供給路を満水にし、その後、第一の開度より大きい第二の開度で開弁することでボウル部の汚物を排出するようにすることを特徴としている。
このように構成された本発明においては、排水弁が第一の開度から第二の開度に移行する際には洗浄水供給路内の空気は殆どなくなり、その後、第二の開度で大量の洗浄水を洗浄水供給路へ流すため、タンク内のへッド圧を効率よく汚物に作用させることができ、洗浄水供給路内に空気が含まれることにより発生する水はねを防止することができる。また、別部材や弁等を複数設ける必要がないため、単純な構造でそれを達成することができる。
【０００７】
本発明において、好ましくは、第二の開度は、予め設定された排水弁が開く最大限の開度である。
このように構成された本発明においては、タンク内のへッド圧をより効率よく汚物に作用させることができ、別部材や弁等を複数設ける必要がなく、簡単な構造で排水弁の開度における給水流率を調節することが可能となるために、より単純な構造でそれを達成することができる。
【０００８】
本発明において、好ましくは、洗浄水給水路の途中には、洗浄開始前において常に洗浄水が溜まっている凹部が形成されている。第一の開度の制限された給水流率であっても早期に洗浄水路が満水となり、タンクに貯留された洗浄水を効率良く使用することができる。洗浄水給水路内の凹部に洗浄水が溜まっているため、洗浄開始前において洗浄水給水路内に溜まる空気を減らすことができ、洗浄水内に空気が含まれることにより発生する水はねをより防止することができる。
【発明の効果】
【０００９】
本発明の水洗大便器によれば、別部材や弁等を複数設けずに、少ない洗浄水量でより効率良く汚物を排出し、より水はねを防止することができる。
【図面の簡単な説明】
【００１０】
【図１】本発明を適用した実施形態における水洗大便器を示す斜視図である。
【図２】本発明を適用した実施形態における水洗大便器の側面断面図である。
【図３】本発明を適用した実施形態における洗浄タンクの正面断面図である。
【図４】本発明を適用した実施形態におけるタイムチャート図である。
【図５】本発明を適用した他の実施形態における水洗大便器の側面断面図である。
【発明を実施するための形態】
【００１１】
図１は、本発明を適用した実施形態における水洗大便器を示す斜視図である。図１を利用して、本実施形態における水洗大便器の全体構成について述べる。
本実施形態における水洗大便器１は、大小便などの排泄物を排泄するボウル部２を有し、便器洗浄機能などの通常の便器機能を備えた便器本体３と、便器本体３に供給する洗浄水を貯留する洗浄タンク４とで構成されている。便器本体３は陶器製もしくは樹脂製であり、ボウル部２の上部には樹脂製の便座５および便ふた６が回動自在に取り付けられている。
【００１２】
図２は本発明を適用した実施形態における水洗大便器の側面断面図である。図３は本発明を適用した実施形態における洗浄タンクの正面断面図である。図４は本発明を適用した実施形態におけるタイムチャート図である。図２と図３、図４を利用して、本実施形態における洗浄タンクおよび便器本体の構成と、本実施形態における洗浄システムについて述べる。
便器本体３の後上部には洗浄タンク４が設けられており、排水弁７および洗浄水供給口８を介して洗浄水供給路９と連結されている。洗浄水供給路９は、途中でリム吐水口１２に繋がるリム導水路１０と連結しており、最下流端は溜水面高さまたはやや上方にあるゼット吐水口１３に連結されている。溜水は封水水位Ｗ０の位置で、排水配管内の臭気や衛生害虫がトイレ内に侵入するのを防止している。
【００１３】
給水装置は、水道等の給水源（図示せず）に接続された定流量弁２１、給水バルブ２２２、及び、給水口２３を備えている。給水バルブ２２は、フロートスイッチ２６により洗浄タンク４の止水水位Ｗ１を検知して給水バルブ２６を閉止し、給水装置の給水口２３から洗浄タンク４内への洗浄水の給水を止水するようになっている。
排水弁７は、オーバーフロー管とその下端部に固着された排水弁体と、オーバーフロー管を電気的駆動力により上下動させることにより排水弁体を開閉操作する制御手段を有する駆動装置２５を備えている。この駆動装置２５から延びる回転軸２４の先端には、玉鎖が取り付けられており排水弁７と連結している。大洗浄用の操作ボタン（図示せず）を押すと、この操作ボタンからの洗浄開始信号が駆動装置２５の制御手段に届き、駆動装置２５を作動させ、排水弁７を開弁させるようになっている。
【００１４】
図４は、洗浄シーケンスの進行に対する洗浄水給水率と排水弁開度の制御状態を表示している。洗浄水供給直後の第一時間帯Ｔ１においては、排水弁７は第一の開度Ｓ１で開弁され、給水流率を制限し、洗浄水供給路９内の空気を排出させ、洗浄水供給路９全体をほぼ満水にする。洗浄水供給路９がほぼ満水になった時点で、第二時間帯Ｔ２に移行する。第二時間帯Ｔ２においては、予め設定された排水弁の最大限の開度である第二の開度Ｓ２で開弁され、給水流率の制限を撤廃することで、最大限の水圧、流量をボウル部２の洗浄および汚物の排出に作用させる。このように第一時間帯Ｔ１後に第二時間帯Ｔ２へと移行することで、より少ない洗浄水量でボウル部の汚物を排出するとともに、洗浄水供給路９の吐水初期に空気が混入することによって起こる水はねを防ぐことが可能となる。
【００１５】
図２、図３の排水弁７は、図４のタイムチャート図に示すように洗浄の初期における第一時間帯Ｔ１では第一の開度Ｓ１によって給水流率を制限している。洗浄水供給口８より洗浄水給水路９へ流れる洗浄水は、先ず洗浄水給水路９内の空気をリム導水路１０の開口であるリム吐水口１２から外へ押し出し、洗浄水供給路９内をほぼ満水にする。続いて、洗浄水供給路９内がほぼ満水になったところで、排水弁７の開度が第二の開度Ｓ２で全開となる第二時間帯Ｔ２へと移行する。第二時間帯Ｔ２では、洗浄水供給路９内の空気がほとんど残留していない為、洗浄水に空気が混入することで発生する水はねを防止し、効率よく汚物の洗浄を行うことができる。
【００１６】
図５は本発明を適用した別の実施形態における水洗大便器の側面断面図である。洗浄水供給路９内に凹部１４が形成されている。待機時において、凹部１４には洗浄水水位Ｗ2で、常時、洗浄水が貯水されている。それにより、上述の実施形態と比較して洗浄水供給路９の流路自体の大きさはほぼ変らないが、洗浄前に滞留している空気は少なくなっている。この凹部１４に水が貯水されることで、次回の洗浄時に留置された水の巻き込みによって、より早く洗浄水供給路９内が満水になる。これにより、第二時間帯Ｔ２への移行を早くすることができ、また第一時間帯の制限された水量であっても、洗浄水供給路９の流路自体の大きさを小さくすることによる洗浄性能の低下を生じることなく、十分な洗浄力を有することができる。
【００１７】
なお、洗浄タンクに設けられた排水弁の開度による制御と、洗浄供給路内の凹部を組み合わせた実施例で示してきたが、これら両方を組み合わせて実施しても、各々単独で実施しても良い。また十分な洗浄力が得られる場合は、第二時間帯Ｔ２における排水弁の開度を予め設定された排水弁の最大限の開度にしなくても良い。
【００１８】
上述した本発明の実施形態による水洗大便器によれば、ボウル部形状の汚物受け面を備えたボウル部２と、ボウル部２の下方にその入口が接続され汚物を排出する排水路と、排水路の入口に向かって吐水するように設けられた洗浄水供給口１３と、洗浄水タンクの排出口８から洗浄水供給口１３に洗浄水を供給する洗浄水供給路９と、洗浄水タンクの排出口を開閉する排水弁７と、洗浄開始信号に基づいて排水口１３から洗浄水供給路９へ洗浄水を供給するように排水弁７の作動を制御する制御手段と、を有し、制御手段は、洗浄開始信号の受信後、排水弁７を、第一の開度Ｓ１で開弁することで洗浄水供給路９を満水にし、その後、第一の開度Ｓ１より大きい第二の開度Ｓ２で開弁することでボウル部２の汚物を排出するようにすることを特徴としている。
このように構成された本発明においては、排水弁が第一の開度Ｓ１から第二の開度Ｓ２に移行する際には洗浄水供給路９内の空気は殆どなくなり、その後、第二の開度Ｓ２で大量の洗浄水を洗浄水供給路９へ流すため、タンク４内のへッド圧を効率よく汚物に作用させることができ、洗浄水供給路９内に空気が含まれることにより発生する水はねを防止することができる。また、別部材や弁等を複数設ける必要がないため、単純な構造でそれを達成することができる。
【００１９】
本発明において、好ましくは、第二の開度Ｓ２は、予め設定された排水弁７が開く最大限の開度である。
このように構成された本発明においては、タンク内のへッド圧をより効率よく汚物に作用させることができ、別部材や弁等を複数設ける必要がなく、簡単な構造で排水弁の開度における給水流率を調節することが可能となるために、より単純な構造でそれを達成することができる。
【００２０】
本発明において、好ましくは、洗浄水給水路９の途中には、洗浄開始前において常に洗浄水が溜まっている凹部１４が形成されている。第一の開度Ｓ１の制限された給水流率であっても早期に洗浄水路が満水となり、タンクに貯留された洗浄水を効率良く使用することができる。洗浄水給水路９内の凹部１４に洗浄水が溜まっているため、洗浄開始前において洗浄水給水路９内に溜まる空気を減らすことができ、洗浄水内に空気が含まれることにより発生する水はねをより防止することができる。
【符号の説明】
【００２１】
１…水洗大便器
２…ボウル部
３…便器本体
４…洗浄タンク
５…便座
６…便ふた
７…排水弁
８…洗浄水給水口
９…洗浄水給水路
１０…リム導水路
１２…リム吐水口
１３…ゼット吐水口
１４…凹部
Ｗ０…封水水位
Ｗ１…タンク内貯水水位
Ｗ2…凹部貯水水位
Ｔ１…第一時間帯
Ｔ２…第二時間帯
Ｓ１…第一開度
Ｓ２…第二開度
【図１】
2011214277.tif 000003
【図２】
2011214277.tif 000004
【図３】
2011214277.tif 000005
【図４】
2011214277.tif 000006
【図５】
2011214277.tif 000007